(57)【要約】      （修正有）【課題】把手部材を一方の手で把持し、把手部材の回動及び押し下げの同時操作により挟持部材が杭の外周面を強く挟持し、杭を地中に差し込むことができ、又、把手部材を上下反転し、上下反転した状態において、把手部材を一方の手で把持し、把手部材の逆方向の回動及び持ち上げの同時操作により挟持部材が杭の外周面を強く挟持し、杭を地中から引き抜くことができ、それだけ、杭の差し込み及び杭の引き抜きを容易に行うことができ、作業性を向上することができ、使用の利便性及び快適性を向上することができる杭差込引抜具を提供する。【解決手段】地中への杭の差し込み、又は、地中からの杭の引き抜きに用いられ、一方の手で差込引抜操作可能な把手部材１に杭の外周面を挟持可能な対向一対の挟持部材２、３を備えてなり、把手部材に把手部材と協動して他方の手で差込引抜操作可能な操作部材４を配設する。【選択図】図１
0003211644.tif 000002
【実用新案登録請求の範囲】
【請求項１】
地中への杭の差し込み、又は、地中からの杭の引き抜きに用いられ、一方の手で差込引抜操作可能な把手部材に杭の外周面を挟持可能な対向一対の挟持部材を備えてなり、上記把手部材に該把手部材と協動して他方の手で差込引抜操作可能な操作部材を配設してなることを特徴とする杭差込引抜具。
【請求項２】
上記一対の挟持部材の対向間隔を調節可能な間隔調節機構を設けてなることを特徴とする請求項１記載の杭差込引抜具。
【考案の詳細な説明】
【技術分野】
【０００１】
本考案は、例えば、農業用、園芸用ビニールハウスの支柱等の杭の地中への差し込み、又は、地中からの杭の引き抜きに用いられる杭差込引抜具に関するものである。
【背景技術】
【０００２】
従来、この種の杭差込引抜具として、一方の手で差込引抜操作可能な把手部材に杭の外周面を挟持可能な対向一対の挟持部材を備えてなる構造のものが知られている。
【０００３】
しかして、地中への杭の差し込みにあっては、一方の手で把手部材を把持し、把手部材を回動操作して一対の挟持部材で杭の外周面を挟持し、同じ一方の手の力で把手部材を下方に押下して杭を地中に差し込むことになり、又、地中からの杭の引き抜きにあっては、一方の手で把手部材を把持し、同じ一方の手で把手部材を差し込み時とは反対向きに回動操作して一対の挟持部材で杭の外周面を挟持し、同じ一方の手の力で把手部材を上方に持ち上げて杭を地中から引き抜くことになる。
【先行技術文献】
【特許文献】
【０００４】
【特許文献１】特開２００１−３２２７８
【特許文献２】特許第３８０９５８１号
【考案の概要】
【考案が解決しようとする課題】
【０００５】
しかしながら上記従来構造の場合、地中への杭の差し込み時には、片手による把持、挟持及び押し下げの同時操作、又、地中からの杭の引き抜き時には、片手による把持、挟持及び持ち上げの同時操作によって、杭を差し込んだり、引き抜いたりすることになり、これら差し込み及び引き抜きの操作はいずれも片手による操作であることから、杭の差し込み力、又は、杭の引き抜き力が不十分なことがあり、それだけ、杭の差し込み及び杭の引き抜きの作業性が低下することがあり、使用の利便性及び快適性を低下させることがあるという不都合を有している。
【課題を解決するための手段】
【０００６】
本考案はこれらの不都合を解決することを目的とするもので、本考案のうちで、請求項１記載の考案は、地中への杭の差し込み、又は、地中からの杭の引き抜きに用いられ、一方の手で差込引抜操作可能な把手部材に杭の外周面を挟持可能な対向一対の挟持部材を備えてなり、上記把手部材に該把手部材と協動して他方の手で差込引抜操作可能な操作部材を配設してなることを特徴とする杭差込引抜具にある。
【０００７】
又、請求項２記載の考案は、上記一対の挟持部材の対向間隔を調節可能な間隔調節機構を設けてなることを特徴とするものである。
【考案の効果】
【０００８】
本考案は上述の如く、請求項１記載の考案にあっては、地中への杭の差し込み時には、把手部材を一方の手で把持し、把手部材の回動及び押し下げの同時操作により挟持部材が杭の外周面を強く挟持し、杭を地中に差し込むことができ、この際、操作部材を他方の手で把持して下方に押下することができ、一方の手で把手部材を押下すると共に他方の手で操作部材を同時に押下することができ、一方の手による押下力よりも他方の手による押下力を小さく加減調整しながら、両手で把手部材を押下することができ、杭の差し込みを両手で行うことにより十分な杭の差し込み力を得ることができ、それだけ、容易に杭を地中に差し込むことができ、又、地中からの杭の引き抜き時には、上記把手部材を上下反転し、上下反転した状態において、把手部材を一方の手で把持し、把手部材の逆方向の回動及び持ち上げの同時操作により挟持部材が杭の外周面を強く挟持し、杭を地中から引き抜くことができ、この際、操作部材を他方の手で把持して上方に持ち上げることができ、一方の手で把手部材を持ち上げると共に他方の手で操作部材を同時に持ち上げることができ、一方の手による持ち上げ力よりも他方の手による持ち上げ力を小さく加減調整しながら、両手で把手部材を持ち上げることができ、杭の引き抜きを両手で行うことにより十分な杭の持ち上げ力を得ることができ、それだけ、容易に杭を地中から引き抜くことができ、したがって、杭の差し込み及び引き抜きの操作をいずれも両手で操作することができ、十分な杭の差し込み力及び杭の引き抜き力を得ることができ、杭の差し込み及び杭の引き抜きを容易に行うことができ、作業性を向上することができ、使用の利便性及び快適性を向上することができる。
【０００９】
又、請求項２記載の考案にあっては、上記一対の挟持部材の対向間隔を調節可能な間隔調節機構を設けてなるから、各種サイズの杭の外径に対応することができ、使用の融通性を高めることができる。
【図面の簡単な説明】
【００１０】
【図１】本考案の実施の形態例の全体斜視図である。
【図２】本考案の実施の形態例の使用状態の正面図である。
【図３】本考案の実施の形態例の全体平面図である。
【図４】本考案の実施の形態例の使用状態の部分拡大正面図である。
【図５】本考案の実施の形態例の使用状態の正面図である。
【図６】本考案の実施の形態例の使用状態の正面図である。
【考案を実施するための形態】
【００１１】
図１乃至図６は本考案の実施の形態例を示し、１は把手部材であって、基端部の筒状の握持部１ａと先端部の板状の取付部１ｂから構成され、取付部１ｂに杭Ｗの外周面を挟持可能な対向一対の挟持部材２・３が配設されている。
【００１２】
この場合、図１、図２、図３、図４の如く、上記挟持部材２・３は、上記把手部材１の先端部の取付部１ｂに所定の離間寸法Ｐ及び挟持部材２・３の中心点を結ぶ線Ｋと握持部１ａの軸線Ｇとがなす所定の交差角θで配設され、図５の如く、把手部材１の回動及び押し下げの同時操作により挟持部材２・３が杭Ｗの外周面を強く挟持し、杭Ｗを地中Ｍに差し込むことになり、又、図６の如く、把手部材１を差し込み時の状態から上下反転し、上下反転した状態において、把手部材１の逆方向の回動及び持ち上げの同時操作により挟持部材２・３が杭Ｗの外周面を強く挟持し、杭Ｗを地中Ｍから引き抜くことになる。
【００１３】
４は操作部材であって、図１、図２、図３の如く、上記把手部材１と協動して他方の手で差込引抜操作可能に上記把手部材１に設けられている。
【００１４】
この場合、図３の如く、上記操作部材４は丸棒材を鉤状に折曲形成され、上記把手部材１の取付部１ｂの先端部に溶接により突設されている。
【００１５】
５は間隔調節機構であって、図１、図２、図３、図４の如く、上記把手部材１の板状の取付部１ｂに補強板６を固着し、一対の取付ボルト２ａ・３ａを取付部１ｂ及び補強板６に対向突設し、上記一対の挟持部材２・３のうち、一方の挟持部材２は円筒状に形成され、外周面に複数個の環状溝２ｂ・・が形成され、一方の挟持部材２は取付ナット２ｃにより把手部材１の板状の取付部１ｂに締付固定され、又、他方の挟持部材３は六角筒状に形成され、外周面に複数個の環状溝３ｂ・・が形成され、他方の挟持部材３の内穴は偏心εして形成され、他方の挟持部材３は取付ナット３ｃにより把手部材１の板状の取付部１ｂに締付固定され、取付ナット３ｃの弛緩により六角筒状の挟持部材３を偏心回転させ、偏心位置で取付ナット３ｃにより把手部材１の板状の取付部１ｂに締付固定し、これにより、一対の挟持部材２・３の対向間隔Ｈを調節可能に構成している。
【００１６】
この実施の形態例は上記構成であるから、地中Ｍへの杭Ｗの差し込み時には、図５の如く、把手部材１の握持部１ａを一方の手、例えば、右手で把持し、把手部材１の回動及び押し下げの同時操作により挟持部材２・３が杭Ｗの外周面を強く挟持し、杭Ｗを地中Ｍに差し込むことができ、この際、操作部材４を他方の手、例えば、左手の掌で把持して下方に押下することができ、一方の手で把手部材１を押下すると共に他方の手で操作部材４を同時に押下することができ、一方の手による押下力よりも他方の手による押下力を小さく加減調整しながら、両手で把手部材１を押下することができ、杭Ｗの差し込みを両手で行うことにより十分な杭Ｗの差し込み力を得ることができ、それだけ、容易に杭Ｗを地中Ｍに差し込むことができる。
【００１７】
又、地中Ｍからの杭Ｗの引き抜き時には、図６の如く、上記把手部材１を上下反転し、上下反転した状態において、把手部材１の握持部１ａを一方の手、例えば、右手で把持し、把手部材１の逆方向の回動及び持ち上げの同時操作により挟持部材２・３が杭Ｗの外周面を強く挟持し、杭Ｗを地中から引き抜くことができ、この際、操作部材４を他方の手、例えば、左手で把持して上方に持ち上げることができ、一方の手で把手部材１を持ち上げると共に他方の手で操作部材４を同時に持ち上げることができ、一方の手による持ち上げ力よりも他方の手による持ち上げ力を小さく加減調整しながら、両手で把手部材１を持ち上げることができ、杭Ｗの引き抜きを両手で行うことにより十分な杭Ｗの持ち上げ力を得ることができ、それだけ、容易に杭Ｗを地中Ｍから引き抜くことができる。
【００１８】
したがって、杭Ｗの差し込み及び引き抜きの操作をいずれも両手で操作することができ、十分な杭Ｗの差し込み力及び杭Ｗの引き抜き力を得ることができ、それだけ、杭Ｗの差し込み及び杭Ｗの引き抜きを容易に行うことができ、作業性を向上することができ、使用の利便性及び快適性を向上することができる。
【００１９】
又、この場合、図１、図２、図３、図４の如く、上記一対の挟持部材２・３の対向間隔Ｈを調節可能な間隔調節機構５を設けてなるから、各種サイズの杭Ｗの外径ｄに対応することができ、使用の融通性を高めることができる。
【００２０】
尚、本考案は上記実施の形態例に限られるものではなく、例えば、把手部材１、挟持部材２・３、操作部材４、間隔調節機構５の構造や形態は適宜変更して設計されるものである。
【００２１】
以上、所期の目的を充分達成することができる。
【符号の説明】
【００２２】
Ｗ    杭
Ｍ    地中
Ｈ    対向間隔
１    把手部材
２    挟持部材
３    挟持部材
４    操作部材
５    間隔調節機構
【図１】
0003211644.tif 000003
【図２】
0003211644.tif 000004
【図３】
0003211644.tif 000005
【図４】
0003211644.tif 000006
【図５】
0003211644.tif 000007
【図６】
0003211644.tif 000008